(57)【要約】【課題】ベースバンドボード、ならびにベースバンドボードの多標準サービスを処理する方法を提供すること。【解決手段】本発明は、複数の標準をサポートするベースバンドボードを開示し、ベースバンドボードは、１つだけのＤＳＰクラスタを含み、ＤＳＰクラスタの複数のＤＳＰは、各標準の様々なサービスのアップリンク処理およびダウンリンク処理のためのリソースを提供するために、バスを介して一緒に接続され、ベースバンドボードは、複数のＤＳＰのリソースの割り当てを制御するコントローラをさらに含み、コントローラは、受信された要求メッセージのタイプ、ならびに各標準の様々なサービスのアップリンク処理およびダウンリンク処理によって要求されるＤＳＰクラスタのリソースに基づき、対応する処理を実行する。ベースバンドボードの費用を削減し、ベースバンドボードの処理リソースを節約し、ベースバンドボードを容易に更新することができる。【選択図】      図４
2006101502.tif 000002
【特許請求の範囲】
【請求項１】
複数の標準をサポートするベースバンドボードであって、
各標準の様々なサービスのアップリンク処理およびダウンリンク処理のためのリソースを提供するように、複数のＤＳＰがバスを介して一緒に接続された１つだけのＤＳＰクラスタを含み、ベースバンドボードは、受信された要求メッセージのタイプ、ならびに各標準の様々なサービスのアップリンク処理およびダウンリンク処理によって要求されるＤＳＰクラスタのリソースに基づき、対応する処理を実行する、複数のＤＳＰのリソースの割り当てを制御するためのコントローラをさらに含むことを特徴とする、ベースバンドボード。
【請求項２】
バスを介してＤＳＰクラスタに接続され、各標準の様々なサービスのアップリンク処理およびダウンリンク処理の各タスクを達成するためのコンポーネントを含む記憶手段をさらに含むことを特徴とする請求項１に記載のベースバンドボード。
【請求項３】
コントローラが、ＤＳＰクラスタの複数のＤＳＰの１つであることを特徴とする請求項１に記載のベースバンドボード。
【請求項４】
コントローラが、バスを介してＤＳＰクラスタに接続されたプロセッサであることを特徴とする請求項１に記載のベースバンドボード。
【請求項５】
２つの標準、すなわち、ユニバーサルモバイルテレコミュニケーションズシステム−周波数分割２重（ＵＭＴＳ−ＦＤＤ）標準および高速ダウンリンクパケットアクセス（ＨＳＤＰＡ）標準をサポートすることを特徴とする請求項１から４のいずれか一項に記載のベースバンドボード。
【請求項６】
受信された要求メッセージが、ＵＭＴＳ−ＦＤＤサービスリンクをセットアップすることに関わる場合、コントローラは、ＵＭＴＳ−ＦＤＤサービスに要求されるＤＳＰクラスタのリソースを計算して、対応する処理を実行し、受信された要求メッセージが、ＨＳＤＰＡサービスリンクをセットアップすることに関わる場合、コントローラは、ＨＳＤＰＡサービスリンクに要求されるＤＳＰクラスタのリソースを計算して、対応する処理を実行し、受信された要求メッセージが、ＵＭＴＳ−ＦＤＤサービスリンクおよびＨＳＤＰＡサービスリンクをセットアップすることに関わる場合、コントローラは、ＵＭＴＳ−ＦＤＤサービスリンクとＨＳＤＰＡサービスリンクの両方に要求されるＤＳＰクラスタのリソースをそれぞれ計算して、対応する処理を実行することを特徴とする請求項５に記載のベースバンドボード。
【請求項７】
各標準の様々なサービスのアップリンク処理およびダウンリンク処理のためのリソースを提供するように、複数のＤＳＰがバスを介して一緒に接続された１つだけのＤＳＰクラスタを含み、複数のＤＳＰのリソースの割り当てを制御するためのコントローラをさらに含む、複数の標準をサポートするベースバンドボードの多標準サービスを処理する方法であって、
コントローラが、要求メッセージを受信するステップと、
コントローラが、受信された要求メッセージのタイプを判定するステップと、
コントローラが、判定結果に基づいて対応する処理を実行するステップとを含む方法。
【請求項８】
要求メッセージが、リンクセットアップである場合、コントローラは、要求されるリソースを計算し、残っているリソースが、要求されるリソースを満たすことができることが判断を介してコントローラに分かった場合、コントローラは、セットアップされるように要求されたリンクにリソースを割り当て、利用可能なリソースを更新することを特徴とする請求項７に記載の方法。
【請求項９】
要求メッセージが、リンク削除である場合、コントローラは、リンクに割り当てられたリソースを取り戻し、利用可能なリソースを更新することを特徴とする請求項７に記載の方法。
【請求項１０】
ベースバンドボードは、バスを介してＤＳＰクラスタに接続され、各標準の様々なサービスのアップリンク処理およびダウンリンク処理の各タスクを達成するためのコンポーネントを含む記憶手段をさらに含むことを特徴とする請求項７から９のいずれか一項に記載の方法。
【請求項１１】
ベースバンドボードは、２つの標準、すなわち、ユニバーサルモバイルテレコミュニケーションズシステム−周波数分割２重（ＵＭＴＳ−ＦＤＤ）標準および高速ダウンリンクパケットアクセス（ＨＳＤＰＡ）標準をサポートすることを特徴とする請求項７から９のいずれか一項に記載の方法。
【請求項１２】
受信された要求メッセージが、ＵＭＴＳ−ＦＤＤサービスリンクをセットアップすることに関わる場合、コントローラは、ＵＭＴＳ−ＦＤＤサービスリンクに要求されるＤＳＰクラスタのリソースを計算して、対応する処理を実行し、受信された要求メッセージが、ＨＳＤＰＡサービスリンクをセットアップすることに関わる場合、コントローラは、ＨＳＤＰＡサービスリンクに要求されるＤＳＰクラスタのリソースを計算して、対応する処理を実行し、受信された要求メッセージが、ＵＭＴＳ−ＦＤＤサービスリンクおよびＨＳＤＰＡサービスリンクをセットアップすることに関わる場合、コントローラは、ＵＭＴＳ−ＦＤＤサービスリンクとＨＳＤＰＡサービスリンクの両方に要求されるＤＳＰクラスタのリソースをそれぞれ計算して、対応する処理を実行することを特徴とする請求項１１に記載の方法。
【発明の詳細な説明】
【技術分野】
【０００１】
本出願は、参照により開示の全体が本明細書に組み込まれ、優先権を主張する、２００４年９月２９日に出願された中国特許出願第２００４１００６６８８０．９号に基づく。
【０００２】
本発明は、通信分野に関し、より詳細には、複数の標準をサポートするベースバンドボード、ならびにベースバンドボードの多標準サービスを処理する方法に関する。
【背景技術】
【０００３】
無線通信システムにおける基地局の主要な機能には、３つの部分、すなわち、無線送受信部、信号処理部、ならびに、ネットワーク伝送部が含まれ、ネットワーク伝送部の内部で、チップレート処理およびシンボルレート処理を含む信号処理部が、基地局のほとんどのリソースを消費する。
【０００４】
基地局の複数の標準をサポートする従来のベースバンドボードによれば、ベースバンドボードは、通常、以下を使用する。すなわち、
１．様々な標準の、それぞれアップリンク処理およびダウンリンク処理のための、複数の特定用途向け集積回路（ＡＳＩＣ）、
２．様々な標準の、それぞれアップリンク処理およびダウンリンク処理のための、複数のフィールドプログラマブルゲートアレイ（ＦＰＧＡ）、
３．様々な標準の、それぞれアップリンク処理およびダウンリンク処理のための、複数のデジタル信号プロセッサ（ＤＳＰ）クラスタである。
【０００５】
第１のアプローチは、設計サイクルが比較的長く、柔軟性がなく、更新するのが難しいというような問題を有する。
【０００６】
第２のアプローチは、費用が比較的高いというような問題を有する。
【０００７】
第３のアプローチは、多くの処理リソースが浪費されるというような問題を有する。
【特許文献１】中国特許出願第２００４１００６６８８０．９号
【発明の開示】
【発明が解決しようとする課題】
【０００８】
本発明の目的は、ベースバンドボードの費用を削減すること、ベースバンドボードの処理リソースを節約すること、およびベースバンドボードを容易に更新することができるようにすることである。
【課題を解決するための手段】
【０００９】
以上の目的を達成するため、本発明は、複数の標準をサポートするベースバンドボードを提案し、ベースバンドボードは、１つだけのＤＳＰクラスタを含み、ＤＳＰクラスタの複数のＤＳＰは、各標準の様々なサービスのアップリンク処理およびダウンリンク処理のためのリソースを提供するために、バスを介して一緒に接続され、ベースバンドボードは、複数のＤＳＰのリソースの割り当てを制御するためのコントローラをさらに含み、コントローラは、受信された要求メッセージのタイプ、ならびに各標準の様々なサービスのアップリンク処理およびダウンリンク処理によって要求されるＤＳＰクラスタのリソースに基づき、対応する処理を実行する。
【００１０】
本発明は、複数の標準をサポートするベースバンドボードの多標準サービスを処理する方法をさらに提案し、ベースバンドボードは、１つだけのＤＳＰクラスタを含み、ＤＳＰクラスタの複数のＤＳＰは、各標準の様々なサービスのアップリンク処理およびダウンリンク処理のためのリソースを提供するために、バスを介して一緒に接続され、ベースバンドボードは、複数のＤＳＰのリソースの割り当てを制御するためのコントローラをさらに含み、方法は、コントローラが、要求メッセージを受信するステップと、コントローラが、受信された要求メッセージのタイプを判定するステップと、コントローラが、判定結果に基づいて対応する処理を実行するステップとを含む。
【００１１】
好ましくは、ベースバンドボードは、記憶手段をさらに含み、記憶手段は、バスを介してＤＳＰクラスタに接続され、各標準の様々なサービスのアップリンク処理およびダウンリンク処理の各タスクを達成するためのコンポーネントを含む。
【００１２】
好ましくは、ベースバンドボードは、２つの標準、すなわち、ユニバーサルモバイルテレコミュニケーションズシステム−周波数分割２重（ＵＭＴＳ−ＦＤＤ）標準および高速ダウンリンクパケットアクセス（ＨＳＤＰＡ）標準をサポートする。
【００１３】
好ましくは、受信された要求メッセージが、ＵＭＴＳ−ＦＤＤサービスリンクをセットアップすることに関わる場合、コントローラは、ＵＭＴＳ−ＦＤＤサービスに要求されるＤＳＰクラスタのリソースを計算して、対応する処理を実行し、受信された要求メッセージが、ＨＳＤＰＡサービスリンクをセットアップすることに関わる場合、コントローラは、ＨＳＤＰＡサービスリンクに要求されるＤＳＰクラスタのリソースを計算して、対応する処理を実行し、受信された要求メッセージが、ＵＭＴＳ−ＦＤＤサービスリンクおよびＨＳＤＰＡサービスリンクをセットアップすることに関わる場合、コントローラは、ＵＭＴＳ−ＦＤＤサービスリンクとＨＳＤＰＡサービスリンクの両方に要求されるＤＳＰクラスタのリソースをそれぞれ計算して、対応する処理を実行する。
【００１４】
好ましくは、コントローラは、ＤＳＰクラスタのＤＳＰの１つである。
【００１５】
好ましくは、コントローラは、バスを介してＤＳＰクラスタに接続されたプロセッサである。
【発明を実施するための最良の形態】
【００１６】
以下に、本発明を、添付の図面を参照して詳細に説明する。
【００１７】
便宜上、以下の説明は、ユニバーサルモバイルテレコミュニケーションズシステム−周波数分割２重（ＵＭＴＳ−ＦＤＤ）標準および高速ダウンリンクパケットアクセス（ＨＳＤＰＡ）標準に基づく。もちろん、本発明は、それらの標準に限定されないことが、当業者には理解されよう。
【００１８】
ＵＭＴＳ−ＦＤＤ標準によれば、音声サービスやデータサービスなどの主要なサービスは、専用チャネル（ＤＣＨ）上で主に実行される。他方、ＨＳＤＰＡ標準によれば、主要なサービスは、高速ダウンリンク共用チャネル（ＨＳ−ＤＳＣＨ）上で主に実行される。
【００１９】
第３世代移動体通信標準化組織、３ＧＰＰによって指定されたＵＭＴＳ−ＦＤＤ標準によれば、基地局のダウンリンク処理は、図１に示すとおりである。
【００２０】
第１に、伝送されるべきデータに対して巡回冗長検査（ＣＲＣ）付加が実行される。次に、トランスポートブロック連結および符号ブロックセグメント化が行われる。その後、チャネル符号化が行われる。次に、レート調整（ｒａｔｅ  ｍａｔｃｈｉｎｇ）が実行される。その次に、不連続伝送（ＤＴＸ）指示の第１の挿入が実行され、その後に、第１のインタリーブ、無線フレームセグメント化、およびトランスポートチャネル多重化が次々に行われる。その後、ＤＴＸ指示の第２の挿入、物理チャネルセグメント化、および第２のインタリーブが、順に実行される。最後に、物理チャネルマッピングが実行されて、ダウンリンク処理は、終了する。
【００２１】
第３世代移動体通信標準化組織、３ＧＰＰによって指定されたＵＭＴＳ−ＦＤＤ標準によれば、基地局のアップリンク処理は、図２に示すとおりであり、これは、実質的に、ダウンリンク処理の逆である。
【００２２】
第１に、データ逆拡散が、移動端末装置からアップロードされたデータに対して実行される。次に、物理チャネルの逆マッピングが行われる。その後、第２の逆インタリーブが行われる。次に、物理チャネルセグメント化解除が行われる。その次に、トランスポートチャネル逆多重化が実行され、その後、レート逆調整、無線フレーム逆セグメント化、および第１の逆インタリーブが次々に実行される。その後、無線フレーム逆等化、チャネル復号化、および符号ブロック逆セグメント化、およびトランスポートブロック逆連結が、順に実行される。最後に、ＣＲＣ検査が実行されて、アップリンク処理は、終了する。
【００２３】
アップリンクとダウンリンクで対称的なサービスを提供するＵＭＴＳ−ＦＤＤの場合、アップリンク処理（例えば、シンボル速度処理およびデータ逆拡散）は、ダウンリンク処理（例えば、シンボル速度処理およびビットレート処理）より、はるかに多くのリソースを消費する。
【００２４】
アップリンクとダウンリンクで非対称のサービスを提供するＨＳＤＰＡの場合、ダウンリンク処理は、基地局のリソースをはるかに多く消費し、他方、アップリンク処理は、基地局のリソースをわずかしか消費せず、無視することさえできる。
【００２５】
ＨＳＤＰＡ標準によれば、基地局のダウンリンク処理は、図３に示すとおりである。
【００２６】
第１に、伝送されるべきデータに対してＣＲＣ付加が実行される。次に、ビットスクランブルが行われる。その後、符号ブロックセグメント化が行われる。次に、チャネル符号化が実行される。次に、物理レイヤハイブリッド自動繰り返し要求（ＨＡＲＱ）機能が実行される。その次に、物理チャネルセグメント化が実行され、その後に、ＨＳ−ＤＳＣＨインタリーブ、および１６横軸振幅変調（ＱＡＭ）に関する配置再構成が次々に実行される。最後に、物理チャネルマッピングが実行されて、ダウンリンク処理は、終了する。
【００２７】
図４は、本発明の実施形態による複数の標準をサポートするベースバンドボードを概略で示すブロック図である。
【００２８】
図４に示すとおり、ベースバンドボードは、６つのＤＳＰから成る１つのＤＳＰクラスタを含む。６つのＤＳＰは、バスを介して一緒に接続される。ベースバンドボードは、記憶手段をさらに含む。記憶手段は、符号化器コンポーネント、復号器コンポーネント、レートマッチャコンポーネント、およびインタリーバコンポーネントなどの、様々な標準の様々なサービスのアップリンク処理およびダウンリンク処理の各タスクを実行するコンポーネントを含み、記憶手段は、バスを介して各ＤＳＰに接続される。６つのＤＳＰの中で、１つのＤＳＰは、各ＤＳＰのリソースの割り当てを制御するため、および各標準の各サービスのアップリンク処理とダウンリンク処理との間で、要求されるリソースのバランスを取るための、ＤＳＰクラスタのコントローラの役割をする。
【００２９】
図５は、本発明の別の実施形態による複数の標準をサポートするベースバンドボードを概略で示すブロック図である。
【００３０】
図５に示すとおり、このベースバンドボードは、図４に示したベースバンドボードと実質的に同一である。違いは、図５に示したベースバンドボードが、プロセッサをさらに含むことである。バスを介してＤＳＰクラスタに接続されるプロセッサは、各ＤＳＰのリソースの割り当てを制御するため、および各標準の各サービスのアップリンク処理とダウンリンク処理との間で、要求されるリソースのバランスを取るための、ＤＳＰクラスタのコントローラの役割をする。他のＤＳＰと同様に、ＤＳＰクラスタを制御するための前述したＤＳＰは、各標準の様々なサービスのアップリンク処理およびダウンリンク処理のためのリソースを提供するのに使用される。
【００３１】
図６は、本発明の実施形態による、複数の標準をサポートするベースバンドボードを設計することの処理を示す流れ図である。ベースバンドボードは、各標準の様々なサービスのアップリンク処理およびダウンリンク処理のためのリソースを提供するための、１つだけのＤＳＰクラスタを含む。
【００３２】
第１に、使用されるＤＳＰのモデルが、ステップ６１で特定される。
【００３３】
本発明の実施形態によれば、使用されるＤＳＰは、２５０ＭＨＺの処理周波数を有する、Ａｎａｌｏｇ  Ｄｅｖｉｃｅｓ（登録商標）のＴｉｇｅｒＳＨＡＲＣ  ＴＳ１０１である。
【００３４】
次に、流れは、ステップ６２に進む。このステップでは、ＤＳＰリソース消費量が、先行するステップにおいて特定されたＤＳＰモデル、ならびに、ベースバンドボードがサポートするように設計された各標準によって提供されるサービスに基づいて推定される。
【００３５】
本発明の実施形態によれば、ベースバンドボードは、２つの標準、すなわち、ＵＭＴＳ−ＦＤＤおよびＨＳＤＰＡをサポートする。ＵＭＴＳ−ＦＤＤサービスだけに関して、ベースバンドボードは、１２．２ｋｂｐｓの速度をそれぞれが有する、７５の音声チャネルをサポートするか、または６４ｋｂｐｓの速度をそれぞれが有する、２４のデータチャネルをサポートするか、または３８４ｋｂｐｓの速度をそれぞれが有する、４データチャネルをサポートする。ＨＳＤＰＡサービスだけに関して、ベースバンドボードは、ダウンリンク速度が、１４Ｍｂｐｓという最大値に達することが可能なデータサービスをサポートする。
【００３６】
もちろん、ベースバンドボードは、ＵＭＴＳ−ＦＤＤの音声サービスおよび６４ｋｂｐｓデータサービス、またはＵＭＴＳ−ＦＤＤの音声サービスおよび３８４ｋｂｐｓデータサービス、あるいはＵＭＴＳ−ＦＤＤの音声サービス、およびＨＳＤＰＡのデータサービスを同時にサポートする。しかし、以上のサービスによって要求される合計リソースは、ベースバンドボードが提供することができるリソースを超えてはならない。
【００３７】
本発明の実施形態によれば、ＤＳＰリソース消費量は、サイクルカウントで測定され、ＴｉｇｅｒＳＨＡＲＣ  ＴＳ１０１のリソース消費量は、ＶｉｓｕａｌＤＳＰ＋＋によって推定される。
【００３８】
テーブル１は、ＵＭＴＳ−ＦＤＤサービスのダウンリンクシンボル速度処理のＤＳＰリソース消費量を示す。
【表１】
2006101502.tif 000003
【００３９】
関連する制御機能（例えば、ＣＲＣ生成およびＣＲＣ付加、チャネル符号化、レート調整、第１のインタリーブ、無線フレームセグメント化など）が、さらなるリソースを消費する可能性があることを考慮して、テーブル１で得た合計メガサイクル数に２０％の余裕を加算する。ＵＭＴＳ−ＦＤＤサービスのダウンリンクシンボル速度処理の推定されるＤＳＰリソース消費量をテーブル２に提示する。
【表２】
2006101502.tif 000004
【００４０】
テーブル３は、ＵＭＴＳ−ＦＤＤサービスのアップリンクシンボル速度処理のＤＳＰリソース消費量を示す。
【表３】
2006101502.tif 000005
【００４１】
関連する制御機能が、さらなるリソースを消費する可能性があることを考慮して、テーブル３で得た合計メガサイクル数に２０％の余裕を加算する。ＵＭＴＳ−ＦＤＤサービスのアップリンク処理のＤＳＰリソース消費量を得るため、データ逆拡散のＤＳＰリソース消費量が、テーブル３で得た合計メガサイクル数に２０％の余裕が加算されたことに基づき、さらに加算される。
【００４２】
テーブル４は、ＵＭＴＳ−ＦＤＤサービスのアップリンク処理（シンボル速度処理およびデータ逆拡散を含む）の推定されるＤＳＰリソース消費量を示す。
【表４】
2006101502.tif 000006
【００４３】
テーブル５は、ＨＳＤＰＡデータサービスのダウンリンク処理のＤＳＰリソース消費量を示す。
【表５】
2006101502.tif 000007
【００４４】
関連する制御機能が、さらなるリソースを消費する可能性があることを考慮して、テーブル５で得た合計メガサイクル数に２０％の余裕を加算する。
【００４５】
ＨＳＤＰＡのデータサービスのダウンリンク処理の推定されるＤＳＰリソース消費量をテーブル６に提示する。
【表６】
2006101502.tif 000008
【００４６】
推定するステップが完了すると、流れはステップ６３に進み、選択されたＤＳＰの数が算出される。
【００４７】
ＴＳ１０１の主な周波数は、２５０ＭＨＺであり、処理リソースの４０％、つまり１００ＭＨＺが、シンボル速度処理およびチップ速度処理を実行するのに使用されることが可能である。したがって、６つのＴＳ１０１で、上記の推定結果に応じた諸要件を満たすのに十分である。
【００４８】
図７は、本発明の実施形態による、多標準無線サービスを処理する、複数の標準をサポートするベースバンドボードのプロセスを示す流れ図である。
【００４９】
ベースバンドボードは、各標準の様々なサービスのアップリンク処理およびダウンリンク処理のためのリソースを提供するために、１つだけのＤＳＰクラスタを含む。ＤＳＰクラスタの中で、１つのＤＳＰは、各ＤＳＰのリソースの割り当てを制御するための、および各標準の様々なサービスのアップリンク処理とダウンリンク処理との間で、リソースのバランスを取るためのコントローラである。または、ベースバンドボードは、プロセッサをさらに含む。バスを介してＤＳＰクラスタに接続されるプロセッサは、各ＤＳＰのリソースの割り当てを制御するため、および各標準の様々なサービスのアップリンク処理とダウンリンク処理との間で、リソースのバランスを取るための、ＤＳＰクラスタのコントローラの役割をする。
【００５０】
第１に、ベースバンドボードのコントローラは、待ち状態にある。要求を受信すると、流れは、ステップ７１に進む。
【００５１】
ステップ７１で、受信された要求のタイプが判定される。要求が無線リンクセットアップであった場合、流れは、ステップ７２に進む。要求が無線リンク削除であった場合、流れは、ステップ７３に進む。
【００５２】
ステップ７２で、コントローラは、無線リンクセットアップを求める要求が消費するＤＳＰリソースを計算する。コントローラは、各標準の各サービスのアップリンク処理およびダウンリンク処理が消費するＤＳＰリソースをあらかじめ、知っていなければならない。例えば、前述した推定プロセスを介して、コントローラは、各標準の各サービスのアップリンク処理およびダウンリンク処理が消費するＤＳＰリソースを知ることができる。
【００５３】
例えば、無線リンクセットアップを求める要求が、ＵＭＴＳ−ＦＤＤ音声サービスであった場合、消費される合計ＤＳＰリソースは、次のとおりである。すなわち、ＵＭＴＳ−ＦＤＤ音声サービスのダウンリンク処理に要求されるＤＳＰリソース＋ＵＭＴＳ−ＦＤＤ音声サービスのアップリンク処理に要求されるＤＳＰリソースである（テーブル２およびテーブル４参照）。
【００５４】
無線リンクセットアップを求める要求が、ＵＭＴＳ−ＦＤＤデータサービスであった場合、消費される合計ＤＳＰリソースは、次のとおりである。すなわち、ＵＭＴＳ−ＦＤＤデータサービスのダウンリンク処理に要求されるＤＳＰリソース＋ＵＭＴＳ−ＦＤＤデータサービスのアップリンク処理に要求されるＤＳＰリソースである（６４ｋｂｐｓのデータサービスに要求されるＤＳＰリソースだけを推定する、テーブル２およびテーブル４参照。もちろん、データサービスの他の速度に要求されるＤＳＰリソースも、同一の方法に従って推定することができることが、当業者には理解されよう）。
【００５５】
無線リンクセットアップを求める要求が、ＨＳＤＰＡデータサービスであった場合、消費される合計ＤＳＰリソースは、次のとおりである。すなわち、データ転送速度×（１４Ｍｂｐｓのデータサービスに要求される合計ＤＳＰリソース／１４Ｍｂｐｓ）である（テーブル６参照）。
【００５６】
無線リンクセットアップを求める要求が消費するＤＳＰリソースの計算の後、流れは、ステップ７４に進む。ステップ７４で、コントローラは、ベースバンドボードが、無線リンクセットアップを求める要求を満たすのに十分なＤＳＰリソースを有するかどうかを判定する。残っているＤＳＰリソースが、要求されるＤＳＰリソースを満たすことができることがコントローラに分かった場合、流れは、ステップ７５に進む。それ以外の場合、流れは、別の要求のために待ち状態に戻る。
【００５７】
ステップ７５で、コントローラは、１つのＤＳＰ（例えば、ＵＭＴＳ−ＦＤＤの音声サービスおよびデータサービスのための）、または複数のＤＳＰ（例えば、ＨＳＤＰＡのデータサービスのための）を、無線リンクセットアップを求める要求に割り当てる。次に、コントローラは、記憶手段から、対応するコンポーネントをＤＳＰにロードし（割り当てられたＤＳＰが、無線リンクセットアップを求める要求を処理するためのコンポーネントを全く有さない場合）、ＤＳＰの構成を行う（パケットを送信または受信するためのリンクポートの初期設定などの）。
【００５８】
ステップ７５が完了すると、流れは、ステップ７６に進む。このステップで、コントローラは、利用可能なＤＳＰリソースを更新する。更新を行った後、流れは、別の要求のために待ち状態に戻る。
【００５９】
ステップ７１を再び参照すると、要求が無線リンク削除であった場合、流れは、ステップ７３に進む。
【００６０】
ステップ７３で、コントローラは、無線リンク接続に対する割り当てを削除し、無線リンク接続を処理するために割り当てられたＤＳＰリソースを取り戻す。
【００６１】
ステップ７３が完了すると、流れは、ステップ７６に進む。このステップで、コントローラは、利用可能なＤＳＰリソースを更新する。更新を行った後、流れは、別の要求のために待ち状態に戻る。
【００６２】
本発明の概念および範囲を逸脱することなく、様々な変更および交替を行うことができる。本発明は、特定の諸実施形態に限定されず、本発明の範囲は、添付の特許請求の範囲によって定義されることを理解されたい。
【図面の簡単な説明】
【００６３】
【図１】ＵＭＴＳ−ＦＤＤ標準に準拠する基地局のダウンリンク処理を示す図である。
【図２】ＵＭＴＳ−ＦＤＤ標準に準拠する基地局のアップリンク処理を示す図である。
【図３】ＨＳＤＰＡ標準に準拠する基地局のダウンリンク処理を示す図である。
【図４】本発明の実施形態による複数の標準をサポートするベースバンドボードを概略で示すブロック図である。
【図５】本発明の別の実施形態による複数の標準をサポートするベースバンドボードを概略で示すブロック図である。
【図６】本発明の実施形態による、複数の標準をサポートするベースバンドボードを設計するプロセスを示す流れ図である。
【図７】本発明の実施形態による、多標準無線サービスを処理する、複数の標準をサポートするベースバンドボードのプロセスを示す流れ図である。
【符号の説明】
【００６４】
ＤＳＰ１、ＤＳＰ２、ＤＳＰ３、ＤＳＰ４、ＤＳＰ５、ＤＳＰ６  デジタル信号プロセッサ
【図１】
2006101502.tif 000009
【図２】
2006101502.tif 000010
【図３】
2006101502.tif 000011
【図４】
2006101502.tif 000012
【図５】
2006101502.tif 000013
【図６】
2006101502.tif 000014
【図７】
2006101502.tif 000015
【外国語明細書】
2006101502.tif 000016
2006101502.tif 000017
2006101502.tif 000018
2006101502.tif 000019
2006101502.tif 000020
2006101502.tif 000021
2006101502.tif 000022
2006101502.tif 000023
2006101502.tif 000024
2006101502.tif 000025
2006101502.tif 000026
2006101502.tif 000027
2006101502.tif 000028
2006101502.tif 000029
2006101502.tif 000030
2006101502.tif 000031
2006101502.tif 000032
2006101502.tif 000033
2006101502.tif 000034
2006101502.tif 000035
2006101502.tif 000036
2006101502.tif 000037
2006101502.tif 000038
2006101502.tif 000039
2006101502.tif 000040
2006101502.tif 000041
2006101502.tif 000042
2006101502.tif 000043
2006101502.tif 000044
2006101502.tif 000045
2006101502.tif 000046
2006101502.tif 000047